Podtech/llm-jp-corpus-v4-ja_patent huggingface dataset:
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
無線通信システムにおける方法であって、
システム情報ブロック（ＳＩＢ：System Information Block）を含む無線リソース制御（ＲＲＣ：Radio Resource Control）メッセージに対する要求をネットワークノードに送信し、
前記ネットワークノードからＲＲＣメッセージを受信する、方法。
【請求項２】
ＲＲＣメッセージに対する要求を送信することは、前記要求に特有のプリアンブルを送信することを含む、請求項１に記載の方法。
【請求項３】
前記プリアンブルを送信することは、前記要求に対するプリアンブルに対応するプリアンブルインデックスを決定することを含む、請求項２に記載の方法。
【請求項４】
前記要求に対するプリアンブルのセットが取得される、請求項２に記載の方法。
【請求項５】
前記プリアンブルは、プリアンブル期間制限を考慮して送信される、請求項２に記載の方法。
【請求項６】
さらに、前記プリアンブルの送信のための送信パワーを決定することを含む、請求項２に記載の方法。
【請求項７】
前記要求は、ＰＲＡＣＨ及びＰＵＳＣＨの少なくとも１つにおいて送信される、請求項１から６何れか１項に記載の方法。
【請求項８】
さらに、応答ウィンドウサイズ、及び前記ＲＲＣメッセージの送信タイミングの少なくとも１つに基づいて前記ＲＲＣメッセージを受信する、請求項１から７何れか１項に記載の方法。
【請求項９】
前記ＲＲＣメッセージは、前記ＲＲＣメッセージに固有のＲＮＴＩを含む、請求項１から８何れか１項に記載の方法。
【請求項１０】
前記ＲＲＣメッセージは、ＰＤＣＣＨ及びＰＤＳＣＨの少なくとも１つにおいて受信される、請求項１から９何れか１項に記載の方法。
【請求項１１】
さらに、前記ＲＲＣメッセージを正常に取得することに失敗したことに応答して、前記ＲＲＣメッセージに対する要求の再送信を開始する、請求項１から１０何れか１項に記載の方法。
【請求項１２】
さらに、基準信号を受信する、請求項１から１０何れか１項に記載の方法。
【請求項１３】
無線通信システムにおける方法であって、
システム情報ブロック（ＳＩＢ：System Information Block）を含む無線リソース制御（ＲＲＣ：Radio Resource Control）メッセージに対する要求を受信し、
前記要求に応答して前記ＲＲＣメッセージを送信する、方法。
【手続補正２】
【補正対象書類名】明細書
【補正対象項目名】発明の名称
【補正方法】変更
【補正の内容】
【発明の名称】無線通信システムにおける方法
【手続補正３】
【補正対象書類名】明細書
【補正対象項目名】００３３
【補正方法】変更
【補正の内容】
【００３３】
以下、説明の目的で、ＭＩＢ及びＳＩＢがＲＲＣメッセージの例として説明される。しかしながら、当業者は、本開示はそれら特定の例には限定されず、本開示はページングメッセージのような任意の種類のＲＲＣメッセージにも同様に適用できることに気づくであろう。
【手続補正４】
【補正対象書類名】明細書
【補正対象項目名】００３５
【補正方法】変更
【補正の内容】
【００３５】
本開示の実施の形態において、ＵＥは、ＵＥがＲＲＣメッセージを必要とし、ＲＲＣメッセージを受信していらず、従ってこのときＵＥはＲＲＣメッセージ伝送パラメータを学習していない場合、ＲＲＣメッセージを要求する。従って、本開示において、デフォルト伝送パラメータを用いてＲＲＣメッセージに対する要求を送信することが提案される。次いで、説明の目的で、ＲＲＣメッセージに対してデフォルト伝送パラメータを決定する方法を説明するため、図２が参照される。
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
固相マイクロ抽出（ＳＰＭＥ）装置上に吸着された分析物を脱着および検出するためのシステムであって、
約５０μＬ未満のボイド容積を規定すると共に、動作中に大気圧に開放されるように構成され、前記ＳＰＭＥ装置を収容するような大きさに構成された脱着チャンバと、
前記脱着チャンバと流体接続されているフローインジェクタとを備え、前記脱着チャンバと前記フローインジェクタとは、少なくともフロー隔離流体コネクタによって流体的に接続され、
前記フローインジェクタと流体接続されている溶媒源と、
流体スイッチとを備え、
前記流体スイッチは、
（ａ）脱着位置において、前記脱着チャンバ内の脱着溶液を隔離すると共に、前記フローインジェクタから前記溶媒を噴霧することを可能にするように構成され、
（ｂ）検出位置において、前記フローインジェクタと前記脱着チャンバとの間の流体接続を維持すると共に、溶媒流を遮断して前記フローインジェクタから前記溶媒源を隔離することによって、前記フロー隔離流体コネクタを介して、前記脱着チャンバ内の前記脱着溶液を実質的に希釈されていない液体プラグとして前記フローインジェクタに搬送するように構成される、システム。
【請求項２】
前記フロー隔離流体コネクタは、（ａ）前記流体スイッチが前記脱着位置に位置し且つ（ｂ）前記溶媒が前記溶媒源から前記フローインジェクタに流れる時に、前記脱着チャンバからの脱着溶液が前記フローインジェクタに流れる前記溶媒に拡散することを低減または回避するような寸法に構成されている、請求項１に記載のシステム。
【請求項３】
前記フロー隔離流体コネクタは、前記脱着チャンバの断面よりも小さな断面を有する、または、前記フロー隔離フローコネクタの長さは、前記流体コネクタの一端を通過する液体が前記流体コネクタの他端の液体に影響を与えないように前記フローフロー隔離コネクタの前記断面よりも十分に大きく、またはその両方である、請求項２に記載のシステム。
【請求項４】
前記フロー隔離流体コネクタは、収容されたＳＰＭＥ装置によって流体的に封止されるような大きさに構成され、脱着中に前記脱着チャンバを前記フローインジェクタから流体的に隔離する、請求項１に記載のシステム。
【請求項５】
約５０μＬ未満のボイド容積を規定すると共に、前記ＳＰＭＥ装置を収容するような大きさに構成された少なくとも１つの追加の脱着チャンバをさらに備え、
前記追加の脱着チャンバは、他の脱着チャンバと並列に接続され、収容された追加のＳＰＭＥ装置によって流体的に隔離されるような大きさに構成された追加のフロー隔離流体コネクタに流体的に接続され、および前記追加のＳＰＭＥ装置が前記追加のフロー隔離流体コネクタを流体的に隔離していない場合に、前記フローインジェクタに流体的に接続される、請求項４に記載のシステム。
【請求項６】
前記システムは、前記脱着チャンバよりも低い圧力で動作する検出装置を含み、
前記フローインジェクタは、エレクトロスプレーニードル、サーモスプレーネブライザ、マイクロエレクトロスプレーニードル、大気圧化学イオン化ネブライザ、イオン移動度分光分析ネブライザ、誘導結合プラズマネブライザ、または前記溶媒流を前記検出装置に向かって駆動するための圧力差を生成するシステムである、請求項１に記載のシステム。
【請求項７】
前記検出装置は、前記フローインジェクタの下流に配置されており、脱着された前記分析物を検出するための質量分析計、イオン移動度分光計、または電気化学もしくは光学分光法に基づいた検出装置である、請求項６に記載のシステム。
【請求項８】
前記溶媒源は、前記溶媒に圧力を加えることができるポンプを介して、前記フローインジェクタに流体的に接続され、前記溶媒を前記フローインジェクタに搬送する、請求項１に記載のシステム。
【請求項９】
前記フローインジェクタからの溶媒を霧化するためのガス源をさらに備える、請求項１に記載のシステム。
【請求項１０】
収容されたＳＰＭＥ装置を振動させるための攪拌器、前記脱着チャンバを加熱するための加熱器、またはその両方をさらに含む、請求項１に記載のシステム。
【誤訳訂正書】
【提出日】令和1年7月25日(2019.7.25)
【誤訳訂正１】
【訂正対象書類名】特許請求の範囲
【訂正対象項目名】全文
【訂正方法】変更
【訂正の内容】
【特許請求の範囲】
【請求項１】
抗原性標的タンパク質に対するポリクローナル抗体を産生するための方法であって、
非ヒト哺乳動物である宿主に前記抗原性標的タンパク質を組み込んだ小胞体由来膜小胞を含む免疫原性組成物を適用することによって、前記宿主において免疫応答を誘導することと、前記宿主由来の前記標的タンパク質に対する抗体を得ることと、を含み、
少なくとも下記の工程、
ａ）前記標的タンパク質をコードする核酸鋳型と、膜小胞を含有する細胞溶解物と、を含む反応媒体におけるインビトロ翻訳反応によって前記標的タンパク質を合成する工程と、
ｂ）前記合成された標的タンパク質を含む膜小胞を、前記媒体から分離する工程と、
ｃ）生理学的に適合可能な媒体において、前記合成された標的タンパク質を含む前記膜小胞を提供する工程と、
ｄ）工程ｃ）の前記膜小胞を、宿主に適用する工程と、
ｅ）前記標的タンパク質に対する特異的免疫応答に対して、前記宿主の血清サンプルを試験する工程と、
ｆ）前記標的タンパク質に対する特異的免疫応答を示す宿主の血清から、前記標的タンパク質に対する特異的抗体を得る工程と、
を含み、
前記細胞溶解物は、昆虫細胞溶解物である、
ことを特徴とする方法。
【請求項２】
前記昆虫細胞溶解物は、ツマジロクサヨトウ（Ｓｐｏｄｏｐｔｅｒａ  ｆｒｕｇｉｐｅｒｄａ）細胞溶解物である、
ことを特徴とする請求項１に記載の方法。
【請求項３】
前記昆虫細胞溶解物は、Ｓｆ２ｌ細胞溶解物である、
ことを特徴とする請求項１又は２に記載の方法。
【請求項４】
前記膜小胞および前記昆虫細胞溶解物は、同じ細胞株由来である、
ことを特徴とする請求項１乃至３のいずれか１項に記載の方法。
【請求項５】
前記合成された標的タンパク質を含む前記膜小胞は、遠心分離によって前記媒体から分離される、
ことを特徴とする請求項１乃至４のいずれか１項に記載の方法。
【請求項６】
工程ａ）におけるインビトロ翻訳反応は、前記膜小胞において前記合成されたタンパク質の濃縮を促進する条件下で成立する、
ことを特徴とする請求項１乃至５のいずれか１項に記載の方法。
【請求項７】
工程ｂ）の後に、前記標的タンパク質をコードする核酸鋳型と、膜小胞を含有しない細胞溶解物と、を含む第二の反応媒体に、前記分離された膜小胞を移すことと、前記第二の反応媒体においてインビトロ翻訳反応を行うことと、前記第二の反応媒体から、増加した量の前記合成された標的タンパク質を含む膜小胞を分離することと、を含む付加的な工程ｂ’）をさらに含み、
工程ｂ’）は、１回又は複数回繰り返され得る、
ことを特徴とする請求項６に記載の方法。
【請求項８】
工程ａ）におけるインビトロ翻訳反応は、前記翻訳反応の過程における反応物または生成物の添加および／または排出を含む連続的な透析に基づく方法によって行われる、
ことを特徴とする請求項６に記載の方法。
【請求項９】
工程ａ）におけるインビトロ翻訳反応は、カスパーゼ阻害剤の存在下で行われる、
ことを特徴とする請求項８に記載の方法。
【請求項１０】
前記宿主に適用されたタンパク質含有膜小胞を有する前記免疫原性組成物は、任意の追加の免疫賦活アジュバントを含まない、
ことを特徴とする請求項１乃至９のいずれか１項に記載の方法。
【誤訳訂正２】
【訂正対象書類名】明細書
【訂正対象項目名】００１９
【訂正方法】変更
【訂正の内容】
【００１９】
以下の例で使用される無細胞系は、培養された昆虫細胞（ツマジロクサヨトウ（Ｓｐｏｄｏｐｔｅｒａ  ｆｒｕｇｉｐｅｒｄａ）、Ｓｆ２１）から生成された翻訳活性を有する溶解物に基づく。細胞内成分の完全性を維持する非常に穏やかな溶解物の調製手順によって、小胞体（ＥＲ）の重要な部分は、機能的に活性な膜小胞として溶解物中で維持され得る。小胞含有種の溶解物を使用して、グリコシル化、シグナルペプチド切断、脂質化、リン酸化およびジスルフィド結合形成といった翻訳後修飾（ＰＴＭ）が、標的タンパク質において行われ得る。
【誤訳訂正３】
【訂正対象書類名】明細書
【訂正対象項目名】００４６
【訂正方法】変更
【訂正の内容】
【００４６】
これらの実験で使用された真核生物の翻訳系は、培養されたツマジロクサヨトウ（Ｓｐｏｄｏｐｔｅｒａ  ｆｒｕｇｉｐｅｒｄａ）（のＳｆ２１）細胞由来の翻訳活性を有する溶解物に基づいており、Ｓｆ２１昆虫細胞の小胞体（ＥＲ）にその起源を有する機能的な内因性膜小胞を含む。
【誤訳訂正書】
【提出日】令和1年5月7日(2019.5.7)
【誤訳訂正１】
【訂正対象書類名】明細書
【訂正対象項目名】０００７
【訂正方法】変更
【訂正の内容】
【０００７】
金属ブランクの打ち抜き加工および曲げ加工によって作られるこのタイプの雌コネクタは、接触枝部の端部が接触表面となるため、高い接続品質を提供することが可能である。また、ブランクの大きな面に平行に、すなわち、ブランクの縁に対して垂直方向にブランクを曲げて湾曲部をＵ字状の形状にすることで、大きな剛性が得られ、ひいては、接触抵抗を下げるように接触圧力が高くなることで、加熱の可能性を伴うことなく、より大きな電流を流すことができる。
【誤訳訂正２】
【訂正対象書類名】明細書
【訂正対象項目名】００１２
【訂正方法】変更
【訂正の内容】
【００１２】
このタイプの固定用アセンブリを設けることで、接続ブレードの位置決め公差を考慮に入れて差込み用スロットの伸張方向に対して垂直方向に移動可能な接続用湾曲部を提供することができる。
【誤訳訂正書】
【提出日】平成30年11月27日(2018.11.27)
【誤訳訂正１】
【訂正対象書類名】特許請求の範囲
【訂正対象項目名】全文
【訂正方法】変更
【訂正の内容】
【特許請求の範囲】
【請求項１】
標的核酸セグメントの部分群と相互作用する核酸セグメントを特定する方法であって:
該標的核酸セグメントの部分群を含む核酸組成物をクロスリンクさせるステップと;
該クロスリンクされた核酸組成物を断片化させるステップと;
該断片の末端をビオチンでマーキングするステップと;
該断片化された核酸セグメントを連結して、連結された断片を生成するステップと;
該クロスリンキングを逆転するステップと；
該断片をせん断し、その後、末端修復するステップと；
断片をストレプトアビジンでプルダウンするステップと；
アダプターライゲーション、その後、PCRを行うステップと；
該標的核酸セグメントの部分群と結合する単離用核酸分子の追加によりプロモーター捕捉を行うステップであって、ここでは、該単離用核酸分子は、結合対の第一の半分で標識される、前記ステップと;
該単離用核酸分子と結合された該標的核酸セグメントの部分群を含有する連結された断片を、該結合対の第二の半分を使用することによって単離するステップと;
PCRを用いて増幅するステップと；
配列決定して、該標的核酸セグメントの部分群と相互作用する核酸セグメントを特定するステップと、
を含む、前記方法。
【請求項２】
前記標的核酸分子の部分群が、エンハンサー、サイレンサー、又はインスレーターから選択される調節エレメントを含む、請求項1記載の方法。
【請求項３】
前記単離用核酸分子が、細菌人工染色体(BAC)、フォスミド、又はコスミドから得られる、請求項1又は請求項2記載の方法。
【請求項４】
前記単離用核酸分子が、RNAである、請求項1から3のいずれか1項記載の方法。
【請求項５】
前記結合対の第一の半分が、ビオチンを含み、前記結合対の第二の半分が、ストレプトアビジンを含む、請求項1から4のいずれか1項記載の方法。
【請求項６】
前記核酸組成物が、ヒト細胞核などの哺乳類の細胞核由来である、請求項1から5のいずれか1項記載の方法。
【請求項７】
前記核酸組成物が、マウス細胞核又は植物細胞核などの、非ヒト細胞核由来である、請求項1から5のいずれか1項記載の方法。
【請求項８】
特定の病的状態の徴候である1以上の相互作用核酸セグメントを特定する方法であって:
a)ある特定の病的状態を伴う個体から得られる核酸組成物に対して、請求項1から7のいずれか1項記載の方法を実施することと;
b)核酸セグメントと標的核酸セグメントとの相互作用の頻度を数量化することと;
c)前記病的状態を伴う個体由来の核酸組成物における相互作用の頻度と、健康な対象由来の正常対照の核内組成物における相互作用の頻度とを比較し、その結果、該核酸組成物における相互作用の頻度の差が、特定の病的状態を示すこと、
を含む、前記方法。
【請求項９】
前記病的状態が、癌、自己免疫疾患、発達障害、又は遺伝性障害から選択される、請求項8記載の方法。
【請求項１０】
請求項1から7のいずれか1項記載の方法を実施することが可能な緩衝液及び試薬を含む、標的核酸セグメントの部分群と相互作用する核酸セグメントを特定するためのキット。
【誤訳訂正２】
【訂正対象書類名】明細書
【訂正対象項目名】０００８
【訂正方法】変更
【訂正の内容】
【０００８】
本発明のさらなる態様によれば、ある特定の病的状態の徴候である1以上の相互作用核酸セグメントを特定する方法であって、以下を含む前記方法が提供される:
a)ある特定の病的状態を伴う個体から得られる核酸組成物に対して、本明細書で定義される方法を実施することと;
b)核酸セグメントと標的核酸セグメントとの相互作用の頻度を数量化することと;
c)前記病的状態を伴う個体由来の核酸組成物における相互作用の頻度と、健康な対象由来の正常対照の核酸組成物における相互作用の頻度とを比較する(その結果、核酸組成物における相互作用の頻度の差が、ある特定の病的状態の徴候である)こと。
【誤訳訂正３】
【訂正対象書類名】明細書
【訂正対象項目名】００５８
【訂正方法】変更
【訂正の内容】
【００５８】
本発明のさらなる態様によれば、ある特定の病的状態の徴候である1以上の相互作用核酸セグメントを明らかにする方法であって、以下を含む前記方法が提供される:
a)ある特定の病的状態を伴う個体から得られる核酸組成物に対して、本明細書で定義される方法を実施することと;
b)核酸セグメントと標的核酸セグメントとの相互作用の頻度を数量化することと;
c)前記病的状態を伴う個体由来の核酸組成物における相互作用の頻度と、健康な対象由来の正常対照の核酸組成物における相互作用の頻度とを比較する(その結果、核酸組成物における相互作用の頻度の差が、ある特定の病的状態の徴候である)こと。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
ポリマー材料、マグネシウム選択性材料及び５．８より大きく、１２．８より小さい測定ｌｏｇＰ値を有する可塑剤を含有してなるマグネシウムイオン選択性膜。
【請求項２】
前記ポリマー材料がポリ塩化ビニル、ポリスチレン、ポリアクリレート、ポリカーボネート、ポリエステル、ポリアミド、ポリウレタン、ポリビニル材料、酢酸ビニル及び上記の任意のものの共重合体からなる群から選ばれるものを含有してなる、例示的実施態様１に記載の膜。
【請求項３】
前記可塑剤が２以上の可塑剤のブレンドである、請求項１〜２のいずれか１項に記載の膜。
【請求項４】
前記可塑剤が７〜９の測定ｌｏｇＰ値を有する、請求項１〜２のいずれか１項に記載の膜。
【請求項５】
前記可塑剤が８の測定ｌｏｇＰ値を有する、請求項４に記載の膜。
【請求項６】
前記マグネシウム選択性材料がイオン交換材料を含有してなる、請求項１〜２のいずれか１項に記載の膜。
【請求項７】
前記イオン選択性材料がテトラキス（４−クロロフェニル）ホウ酸カリウムを含有してなる、請求項６に記載の膜。
【請求項８】
前記マグネシウム選択性材料がイオノフォアを含有してなる、請求項１〜２のいずれか１項に記載の膜。
【請求項９】
前記イオノフォアが、トリアミド化合物を含有してなる請求項８に記載の膜。
【請求項１０】
請求項１〜２のいずれか１項に記載の膜を含有してなるマグネシウムイオン選択性電極。
【請求項１１】
請求項１〜２のいずれか１項に記載の膜を含有するマグネシウムイオン選択性センサ。
【請求項１２】
タンパク質含有試料中のマグネシウムの量を測定するための請求項１１に記載のセンサ；及び前記タンパク質含有試料中の追加の目標被検体の量を測定するための少なくとも１つの追加のセンサを含有してなるセンサアレイ。
【請求項１３】
前記少なくとも１つの追加のセンサが、ｐＨ、二酸化炭素分圧、酸素分圧、ナトリウム、カリウム、カルシウム、塩化物、ヘマトクリット、ヘモグロビン、グルコース、乳酸エステル、ビリルビン及びＣＯオキシメーター分画からなる群から選ばれるものの分析のために設計されている請求項１２に記載のアレイ。
【請求項１４】
ポリマー材料；マグネシウム選択性材料；及び５．８超、１２．８未満の測定ｌｏｇＰ値を有する可塑剤を含有してなるマグネシウムイオン選択性膜を含有するセンサを準備し、前記センサにタンパク質含有試料を導入し、そして、前記接触後の試料中のマグネシウムの存在を決定することからなる、タンパク質系試料をマグネシウムについて分析する方法。
【請求項１５】
前記タンパク質含有試料が全血を含有してなる請求項１４に記載の方法。
【請求項１６】
前記ポリマー材料がポリ塩化ビニル、ポリスチレン、ポリアクリレート、ポリカーボネート、ポリエステル、ポリアミド、ポリウレタン、ポリビニル材料、酢酸ビニル及び上記の任意のものの共重合体からなる群から選ばれるものを含有してなる請求項１４又は１５のいずれか１項に記載の方法。
【請求項１７】
前記可塑剤が２以上の可塑剤のブレンドを含有してなり、可塑剤の前記ブレンドがＥＴＨ８０４５とニトロフェニルオクチルエーテル（ＮＰＯＥ）とのブレンドを含有してなる請求項１４又は１５のいずれか１項に記載の方法。
【請求項１８】
更に、前記試料中の追加の被検体又はｐＨ、二酸化炭素分圧、酸素分圧、ナトリウム、カリウム、カルシウム、塩化物、ヘマトクリット、ヘモグロビン、グルコース、乳酸エステル、ビリルビン及びＣＯオキシメーター分画からなる群から選ばれる特性の存在を検知するための１以上の追加のセンサを準備し、前記試料中の前記追加の被検体又は特性の存在を検知する請求項１４又は１５のいずれか１項に記載の方法。
【手続補正書】
【提出日】平成31年4月4日(2019.4.4)
【手続補正１】
【補正対象書類名】明細書
【補正対象項目名】００１３
【補正方法】変更
【補正の内容】
【００１３】
今まで、青色光からの眼の効果的な保護を確実にできる化学化合物は市場に存在していない。特許文献１は、全能幹細胞の分化のための有用な製剤としてヒアルロン酸レチノイン酸エステルを記載している。他方で、点眼剤は有効成分の投与のために最適な方法ではないこともまた、知られている。なぜなら、それらは低いバイオアベイラビリティを有するので、主に眼における排水系の存在に起因して低い治療反応に供されるからである。この理由のために、この種の製剤は所望の治療効果を達成するために複合投与を必要とする。青色光放射によって引き起こされる損傷から眼を保護できる化合物の開発に関する関心が上記から明白である。
【手続補正２】
【補正対象書類名】明細書
【補正対象項目名】００４４
【補正方法】変更
【補正の内容】
【００４４】
０．９５ｇのビキシンを、湿気に対して保護したリアクタ内で４５０ｍＬのＤＭＦに溶解し、１ｅｑのＮ，Ｎ−カルボニルジイミダゾールを混合物に加える。１時間後、溶液をＨＡ−ＴＢＡゲルにゆっくり加え、このように得られた混合物を３０℃にて１６時間撹拌させる。
【手続補正３】
【補正対象書類名】明細書
【補正対象項目名】００４７
【補正方法】変更
【補正の内容】
【００４７】
０．５ｇのビキシンを、湿気に対して保護したリアクタ内で２５０ｍＬのＤＭＦに溶解し、１ｅｑのＮ，Ｎ−カルボニルジイミダゾールを混合物に加える。１時間後、溶液をＨＡ−ＴＢＡゲルにゆっくり加え、このように得られた混合物を３０℃にて１６時間撹拌させる。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
複合材料であって、
ａ）１ミクロン未満の平均粒径を有する、離散したポリマー粒子、および
ｂ）相互作用性物質、
を含み、
前記ポリマー粒子が、前記相互作用性物質に付着し、前記ポリマー粒子は、１０重量パーセント未満のアグロメレート化されたポリマー粒子からなる、
複合材料。
【請求項２】
前記複合材料が、乾燥した複合材料粒子の形態にある、請求項１に記載の複合材料。
【請求項３】
前記ポリマー粒子の前記平均粒径が、２０〜５００ｎｍである、請求項１または２に記載の複合材料。
【請求項４】
前記ポリマー粒子の前記平均粒径が、５０〜４００ｎｍである、請求項１または２に記載の複合材料。
【請求項５】
前記ポリマー粒子が、フルオロポリマー、スチレン−ブタジエンゴム（ＳＢＲ）、エチレン酢酸ビニル（ＥＶＡ）、アクリル系ポリマー、ポリメタクリル酸メチルのポリマーおよびコポリマー、ポリウレタン、スチレン系ポリマー、ポリアミド、ポリエステル、ポリエチレンテレフタレート、ポリオレフィン、ポリ塩化ビニル、ポリカーボネート、および熱可塑性ポリウレタン（ＴＰＵ）、ならびにそれらの混合物からなる群から選択される、請求項１〜４のいずれかに記載の複合材料。
【請求項６】
前記ポリマー粒子が、ポリアミド、またはポリフッ化ビニリデン（ＰＶＤＦ）のホモポリマーおよび少なくとも７５モルパーセントのフッ化ビニリデンモノマー単位を含むコポリマーから選択されるフルオロポリマーである、請求項５に記載の複合材料。
【請求項７】
前記複合材料が、
ａ）０．０１〜１５重量パーセントの離散したポリマー粒子、および
ｂ）８５〜９９．９９重量パーセントの前記相互作用性物質、
を含む、請求項１〜６のいずれかに記載の複合材料。
【請求項８】
前記複合材料が、
ａ）０．２〜８重量パーセントの離散したポリマー粒子、および
ｂ）９２〜９９．８重量パーセントの前記相互作用性物質、
を含む、請求項１〜７のいずれかに記載の複合材料。
【請求項９】
前記複合材料が、
ａ）０．３〜６重量パーセントの離散したポリマー粒子、および
ｂ）９４〜９９．７重量パーセントの前記相互作用性物質、
を含む、請求項１〜８のいずれかに記載の複合材料。
【請求項１０】
ポリマー粒子および１種または複数の相互作用性物質を含む複合材料を形成させるためのプロセスであって、
ａ）１ミクロン未満の平均粒径を有する離散したポリマー粒子を含むポリマーラテックスを形成させる工程；
ｂ）前記ポリマーラテックスを希釈して、４〜２５重量パーセントの間のポリマー固形分を有するようにする工程；
ｃ）前記ポリマーラテックスの中に相互作用性物質を混合して、ポリマー粒子と相互作用性物質とのブレンド物を形成させる工程であって、ここで、工程ｂ）とｃ）は、この順か、または同時かのいずれかで実施することができる、工程；
ｄ）前記ブレンド物を乾燥させて、易流動性のポリマー粒子／相互作用性物質の複合材料を形成させる工程であって、ここで、前記ポリマー粒子が、前記相互作用性物質に付着し、前記乾燥した複合材料の中の前記ポリマー粒子の１０重量パーセント未満が、アグロメレート化された形態にある、工程；
ｅ）前記ポリマー粒子／相互作用性物質を成形して物品にするか、または物品の上のコーティングとする工程であって、ここで、前記ポリマー粒子は、離散した粒子のままで残り、前記相互作用性物質を共に結合させている、工程、
を含む、プロセス。
【請求項１１】
ｂ）の前記希釈されたラテックスが、１０〜２０重量パーセントの固形分を含み、前記乾燥した複合材料の前記ポリマー粒子の５重量パーセント未満が、アグロメレート化された形態にある、請求項１０に記載のプロセス。
【請求項１２】
前記離散したポリマー粒子が、２０〜５００ｎｍの重量平均粒径を有する、請求項１０に記載のプロセス。
【請求項１３】
前記相互作用性物質を水の中に分散させることをさらに含む、請求項１０に記載のプロセス。
【請求項１４】
請求項１〜９のいずれかに記載の前記複合材料を含む、物品。
【請求項１５】
前記物品が、バッテリーにおける電極またはセパレーターである、請求項１４に記載の物品。
【請求項１６】
前記物品が、液体および気体のストリームを分離および濾過するのに有用なブロック物品である、請求項１４に記載の物品。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
電着樹脂成分と、
任意で、架橋成分と、
任意で、酸成分と、そして
少なくとも、ケイ酸アルミン酸マグネシウムビスマス、アルミン酸ビスマス、ホウ酸ビスマス、マンガン酸ビスマス、リン酸ビスマス、これらの水和物、および、これらの組合せから選択される無機ビスマス含有化合物と、
を含む、電着用組成物。
【請求項２】
カチオン化可能な電着樹脂成分及びブロック化されたポリイソシアネート架橋剤成分を含むエマルションを準備することと、
分散樹脂、顔料、及び無機ビスマス含有化合物を含む顔料ペーストを準備することと、
前記電着樹脂及び前記顔料ペーストを水と混合して、電着浴を形成することと、
電圧を印加して、基材をカソード的に電気塗装することと、
を含む電着方法であって、無機ビスマス含有化合物が、ケイ酸アルミン酸マグネシウムビスマス、アルミン酸ビスマス、ホウ酸ビスマス、マンガン酸ビスマス、リン酸ビスマス、これらの水和物、および、これらの組合せから選択される、上記方法。
【請求項３】
前記無機ビスマス含有化合物が、アルミン酸ビスマスである、請求項１または２に記載の組成物又は方法。
【請求項４】
前記組成物が、無機ビスマス含有化合物及び有機ビスマス含有化合物との組合せを含む、請求項１〜３のいずれかに記載の組成物又は方法。
【請求項５】
前記組成物が、無機ビスマス含有化合物と有機ビスマス含有化合物の組合せを含んでなり、ここで、有機ビスマス含有化合物が、酢酸ビスマス、次酢酸ビスマス、炭酸ビスマス、サリチル酸ビスマス、次サリチル酸ビスマス、次炭酸ビスマス、次クエン酸ビスマス、クエン酸ビスマス、安息香酸ビスマス、シュウ酸ビスマス、オレイン酸ビスマス、ジアルキルジチオカルバミン酸ビスマス、ビスマスのヒドロキシ酸、有機硫黄ビスマス化合物、ビスマスとメルカプタン及び／又はヒドロキシメルカプタンとの反応生成物、および、これらの組合せから選択される、請求項１〜４のいずれかに記載の組成物又は方法。
【請求項６】
前記組成物が、アルミン酸ビスマスとクエン酸ビスマスとの組合せを含む、請求項１〜５のいずれかに記載の組成物又は方法。
【請求項７】
約４０〜９５重量パーセントの電着樹脂成分と、
約１０〜６０重量パーセントのブロックされたポリイソシアネート成分と、
約１〜１０重量パーセントの脂肪族カルボン酸成分と、
約０．５〜１０重量パーセントの無機ビスマス含有化合物と、を更に含む、請求項１に記載の組成物。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
有効成分として、式
2018510917.tif 000001
の化合物もしくはその置換誘導体、またはその薬学的に許容される塩を含み、さらに１以上の担体、希釈剤もしくは賦形剤またはそれらの組合せを含む、増殖細胞核抗原の癌特異的（関連性）アイソフォーム（ｃａＰＣＮＡ）を発現する悪性細胞の細胞増殖を減少させるための、医薬組成物。
【請求項２】
癌が乳癌である、請求項１に記載の医薬組成物。
【請求項３】
癌が膵臓癌である、請求項１に記載の医薬組成物。
【請求項４】
癌が神経芽腫である、請求項１に記載の医薬組成物。
【請求項５】
別の化学療法的方法を増強するための、請求項１〜４のいずれか一項に記載の医薬組成物。
【請求項６】
さらなる化学治療剤を含む、請求項１〜４のいずれか一項に記載の医薬組成物。
【誤訳訂正書】
【提出日】令和1年8月28日(2019.8.28)
【誤訳訂正１】
【訂正対象書類名】特許請求の範囲
【訂正対象項目名】全文
【訂正方法】変更
【訂正の内容】
【特許請求の範囲】
【請求項１】
ウール基材を処理するための方法であって、
５〜６０分の間の反応時間にわたって、アルコールとアルカリとの反応混合物によって前記ウール基材を処理する第１の反応工程と、
前記第１の反応工程の結果として得られたウール基材を、酸化剤の水性混合物によって処理する第２の反応工程と、
を備え、
該方法が、前記ウール基材の吸収力特性を未処理のウール基材と比較して高める、方法。
【請求項２】
前記第１の反応工程において使用される前記ウール基材は、（ｉ）化学処理されていない不織ウール基材、および（ｉｉ）玉状部分が組み入れられた化学処理されていない不織基材から選択される、請求項１に記載の方法。
【請求項３】
前記第１の反応工程において使用される前記ウール基材は、（ｉ）カーディング済みウール繊維を含むニードルパンチ処理されたウール不織基材、（ｉｉ）カーディング済みウール繊維を含むスパンレース処理された（水流交絡された）ウール不織基材、および（ｉｉｉ）ばらウール繊維を含むウール基材から選択される、請求項１に記載の方法。
【請求項４】
前記ウール基材は、（ｉ）１００〜１０００グラム毎平方メートル（ｇｓｍ）、または（ｉｉ）２００〜６００グラム毎平方メートル（ｇｓｍ）である、請求項１〜３のいずれか一項に記載の方法。
【請求項５】
前記アルコールは、メタノール、エタノール、プロパノール、ブタノールまたはこれらの混合物から選択される、および、
前記アルカリは、水酸化カリウムもしくは水酸化ナトリウムまたはこれらの混合物から選択される、
の少なくとも一方を満たす、請求項１〜４のいずれか一項に記載の方法。
【請求項６】
前記アルコールとアルカリとの反応混合物中において、前記アルカリは、（ｉ）０．５〜５％ｗ／ｖ、（ｉｉ）１〜２％ｗ／ｖ、または（ｉｉｉ）１．５％ｗ／ｖの濃度を有する、請求項５に記載の方法。
【請求項７】
前記酸化剤は、過酸化水素である、請求項１〜６のいずれか一項に記載の方法。
【請求項８】
前記水性混合物中において、前記酸化剤は、（ｉ）０．５〜５％ｖ／ｖ、（ｉｉ）１〜２％ｖ／ｖ、または（ｉｉｉ）２％ｖ／ｖの濃度を有する、請求項７に記載の方法。
【請求項９】
前記第１の反応工程の前記反応時間は、（ｉ）５〜３０分の間、（ｉｉ）１０〜３０分の間、（ｉｉｉ）１０分、または（ｉｖ）１２〜１４分である、請求項１〜８のいずれか一項に記載の方法。
【請求項１０】
前記第２の反応工程の反応時間は、（ｉ）３０〜１８０分の間、（ｉｉ）３０〜１２０分の間、（ｉｉｉ）３０〜９０分の間、または（ｉｖ）６０分である、請求項１〜９のいずれか一項に記載の方法。
【請求項１１】
１：１０から１：４０までの繊維対処理液比によって実施される、請求項１〜１０のいずれか一項に記載の方法。
【請求項１２】
高められた吸収力特性を有するウール製品の作製方法であって、
未処理のウール基材を、請求項１〜１１のいずれか一項に記載の方法によって処理して処理済みの前記ウール製品を得る工程を含み、
前記処理済みの前記ウール製品は、前記未処理のウール基材より８００％以上大きな吸収力特性を有する、方法。
【請求項１３】
前記ウール製品は、（ｉ）未処理のウール基材より１０００％以上大きな吸収力特性を有する、（ｉｉ）未処理のウール基材より１２００％以上大きな吸収力特性を有する、（ｉｉｉ）未処理のウール基材より１５００％以上大きな吸収力特性を有する、または、（ｉｖ）未処理のウール基材より２４００％以上の大きな吸収力特性を有する、請求項１２に記載の方法。
【請求項１４】
前記ウール製品は、吸収特性を有する材料を要求する１つまたは複数の製品においてさらに使用される、請求項１２または１３に記載の方法。
【請求項１５】
吸収特性を有する材料を要求する前記１つまたは複数の製品は、おむつ、おむつライナーおよびおしめを含む個人衛生用製品、創傷用被覆材または外科用被覆材、化学物質流出対処用または浄化用製品を含む、請求項１４に記載の方法。
【誤訳訂正２】
【訂正対象書類名】明細書
【訂正対象項目名】０００８
【訂正方法】変更
【訂正の内容】
【０００８】
一実施形態において、第１の反応工程において使用されるウール基材は、化学処理されていない不織ウール基材である。
別の実施形態において、第１の反応工程において使用されるウール基材は、玉状部分が組み入れられた化学処理されていない不織基材である。
【手続補正書】
【提出日】平成31年1月15日(2019.1.15)
【手続補正１】
【補正対象書類名】明細書
【補正対象項目名】００３５
【補正方法】変更
【補正の内容】
【００３５】
ピストン本体１２は、天壁（上壁１４ともいう）を有する上ヘッドまたは上部１３を有する。上部１３によって、内燃機関のシリンダボア内で温度限界および燃焼ガス圧力に直接晒される上部燃焼表面１６が設けられる。上部燃焼表面１６は、上壁１４の外周に沿って延在する実質的に平らな面として形成された環状の第１部分１８と、上壁１４の燃焼ボウルの壁部分２１によって規定される第２部分２０とを含む。第２部分２０は、平面状の第１部分１８から垂下して燃焼ボウルの壁部分２１の最上側の面に沿って延在する非平面状で起伏のある面２２を有する。クラウン下面２４は、燃焼ボウルの壁部分２１の下側であって、上部燃焼表面１６の第２部分２０と正反対の位置に形成される。ここで、クラウン下面２４を、真下からピストンを見た場合に見える燃焼ボウルの壁部分２１の面と定義する。ここで、クラウン下面２４は、燃焼ボウルの壁部分２１の最小厚さ（ｔ、図３）の２倍を超えない間隔だけ上部燃焼表面１６の第２部分２０から離れて延在する。したがって、クラウン下面２４は、燃焼ボウル２６の第２部分２０に概ねぴったり合って、所望の強度をもたらしつつ、燃焼ボウル２６までの距離を最小限に抑えており、燃焼ボウルの壁部分２１の起伏のある面２２とは反対側の面を実質的になぞるように形作られている。クラウン下面２４は、ピストン１０の裏側から見ると開放しており（図１）、床など、囲われたまたは部分的に囲われた冷却ギャラリの特徴、またはクラウン下面２４の近くにオイルまたは冷却液を保持しがちなその他の特徴によって画定されていない。したがって、オイルは、クラウン下面２４と接触するやいなや、シリンダボア内でピストン１０が往復運動する間、クラウン下面２４との冷却接触状態を維持する新鮮なオイル供給と一緒にクラウン下面２４から自由に流れ落ちる。
【手続補正２】
【補正対象書類名】明細書
【補正対象項目名】００３７
【補正方法】変更
【補正の内容】
【００３７】
ピストン本体１２は、さらに、下部３６を含む。下部３６は、上部１３から垂下するピンボス３８の対を含む。ピンボス３８の対は、全体的に、上壁１４から垂下する。ピンボス３８は、各々、ピンボア４０を有し、鋼鉄構成であることを考えると、軸受け筒（ブッシュ）がないのが好ましい。ここで、ピンボア４０は、長手方向の中心軸３０を概ね横切って延びるピンボア軸４２に沿った同軸上に横方向に互いに離れている。ピンボス３８は、概ね平らな、半径方向最も外側の面（外面４４と称す）を有し、外面４４は、互いに概ね平行に示されている。外面４４は、ピンボア軸４２に沿って互いに距離ＰＢ離れている。ここで、ＰＢの範囲は、ピストン本体１２の新規な構成で許される範囲でできるだけ広くなっており、ピンボス３８のいずれの部分も上部燃焼表面１６の外面によって形成される軸上の出っ張りを超えて半径方向に延在させないようになっているが、どちらかといえば、ＰＢの範囲は、ピンボス３８の外面４４の最も外側の面を互いに面一または実質的に面一にするために設けられている。これによって、ピンボスの外面４４の半径方向外側に延在する露出領域４６の表面積が最小化される。ここで、露出領域４６は、リングベルト領域３２の下面部分を形成している。
【手続補正３】
【補正対象書類名】明細書
【補正対象項目名】００３９
【補正方法】変更
【補正の内容】
【００３９】
ピンボス３８同士の間隔および距離ＰＢを大きくすることによって、クラウン下面２４に優れた冷却を与える上に、リストピン（図示せず）の直径を最小化できるため、ピストン１０のコンプレッションハイトＣＨおよび重量がさらに低減する。それと同時に、リストピン／ピンボアの接触部分にまたがる単位荷重およびリストピン／コンロッド接触部分にまたがる単位荷重が最小限に抑えられる。単位荷重は、圧縮荷重／２Ｄ投影された支持面の面積として定義される。上支持面４８が最大化された場合、距離ＰＢが大きくなって上支持面４８の幅が大きくなるため、単位荷重が減少する。これによって、構成部品の応力および摩耗が最小限に抑えられる。さらに、ピンボス同士の間隔および距離ＰＢを大きくすることによって、ピンボス３８の内面５８同士がさらに離間され得、コンロッドの小端部を嵌めるための空間が大きくなる。これによって、内面５８とコンロッドの小端部との間に延在するリストピンの開放面積が大きくなる。このように、オイルをリストピンの露出領域に自由にはねかからせる機能が向上する結果、ピンボア４０とコンロッドとの間のリストピン継手の潤滑が増加し得る。
【手続補正４】
【補正対象書類名】明細書
【補正対象項目名】００４０
【補正方法】変更
【補正の内容】
【００４０】
上記の利益に加えて、ピンボス３８同士の間隔が広くなることによってもたらされるさらなる利益は、スカートパネル５２の外周長さまたは弧状部分を大きくできることだとわかる。より長方形である従来のピストンとは異なり、図１からわかるように、スカートパネル５２は、スカートパネル５２、ストラット部５０、およびピンボス３８から成る外面がほぼ円形になるように、大きな円弧に広がっている。スカートパネル５２は、ストラット部５０を挟んでピンボス３８と一体となっており、ストラット部５０は、弧状であって、ピンボア軸４２に対して斜めに傾いている。これによって、スカートパネル５２とピンボス３８の側部との間に滑らかな弧状の変わり目が作られる。スカートパネル５２の外周長さ（幅ともいう）が大きくなることで、より剛性があり幅が小さくなったスカートパネルと比べて、スカートパネル５２の壁の可撓性が大きくなる。スカートパネルの壁の可撓性または弾性変形性の高まりがシリンダーライナーの変形を抑えるように働くので、シリンダーライナーの変形が抑えられ、その結果、ピストンリング（図示せず）の性能が高められる。これによって、ピストンリングを通って「ブローバイ」するオイルの量が減少する。したがって、長い寿命にわたって機関の性能が高められ、向上される。
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
電源、
各々が前記電源と直列に接続された少なくとも２つの直流／直流コンバータ、及び
前記少なくとも２つの直流／直流コンバータの間の直接接続
を備え、前記直接接続が基準電圧に取り付け可能である、ランプドライバ。
【請求項２】
整流器を更に備える、請求項１に記載のランプドライバ。
【請求項３】
パルス幅変調器を更に備える、請求項２に記載のランプドライバ。
【請求項４】
変圧器を更に備える、請求項２に記載のランプドライバ。
【請求項５】
前記整流器が、ブリッジ整流器である、請求項２に記載のランプドライバ。
【請求項６】
前記電源が、三相交流電源である、請求項１に記載のランプドライバ。
【請求項７】
ランプヘッドアセンブリ内に配置された複数のランプ、並びに
１以上のランプドライバ
を備え、前記１以上のランプドライバの各ランプドライバが前記複数のランプの１以上のランプに接続され、前記１以上のランプドライバが、各々、
電源、
各々が前記電源と直列に接続された少なくとも２つの直流／直流コンバータ、及び
前記少なくとも２つの直流／直流コンバータの間の直接接続
を備え、前記直接接続が基準電圧に取り付け可能である、熱処理装置。
【請求項８】
前記１以上のランプドライバの各々が、整流器を更に備える、請求項７に記載の熱処理装置。
【請求項９】
前記１以上のランプドライバの各々が、パルス幅変調器を更に備える、請求項８に記載の熱処理装置。
【請求項１０】
前記１以上のランプドライバの各々が、変圧器を更に備える、請求項８に記載の熱処理装置。
【請求項１１】
前記整流器が、ブリッジ整流器である、請求項８に記載の熱処理装置。
【請求項１２】
前記複数のランプの各々が、ベースがないランプである、請求項７に記載の熱処理装置。
【請求項１３】
ランプヘッドアセンブリ内に配置された複数のランプに電力供給するための方法であって、
電源からの４８０Ｖの交流電圧を直流電圧に変換すること、
少なくとも２つの直流／直流コンバータを使用して、前記直流電圧を低減された直流電圧に低減させることであって、各直流／直流コンバータが前記電源と直列に接続され、前記少なくとも２つの直流／直流コンバータの間の直接接続が、基準電圧に接続されている、低減させること、及び
前記低減された直流電圧を前記複数のランプの１以上のランプに供給することであって、前記複数のランプと前記ランプヘッドアセンブリとの間の最大電位差が約１００Ｖである、供給することを含む、方法。
【請求項１４】
前記ランプヘッドアセンブリの中へ不活性ガスを流すことを更に含み、前記ランプヘッドアセンブリの内側の圧力が、約１×１０−５Ｔｏｒｒと約１０Ｔｏｒｒの間である、請求項１３に記載の方法。
【請求項１５】
前記ランプヘッドアセンブリを通して冷却剤を流すことを更に含む、請求項１３に記載の方法。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
機能強化されたマルチチャネル、マルチオプションのターゲットを絞った自動化キャンペーンのためのシステムであって、
メモリに記憶され、かつ、ネットワーク接続されたコンピューティングデバイスのプロセッサ上で作動する少なくとも複数のプログラミング命令を備えたアプリケーションサーバであって、ネットワークを介して少なくともクライアントデバイスからインタラクションを受信するように構成され、前記インタラクションは、各々がパケットベースの電子データを含む少なくとも複数のイベントを含み、前記イベントの少なくとも一部をイベントロードバランサに提供するように構成された、アプリケーションサーバと、
メモリに記憶され、かつ、ネットワーク接続されたコンピューティングデバイスのプロセッサ上で作動する少なくとも複数のプログラミング命令を備えたイベントロードバランサであって、少なくともアプリケーションサーバから複数のイベントを受信するように構成され、複数のイベントシンクの動作を指示するように構成された、イベントロードバランサと、
メモリに記憶され、かつ、ネットワーク接続されたコンピューティングデバイスのプロセッサ上で作動する少なくとも複数のプログラミング命令を備えたイベントシンクであって、イベントロードバランサから複数のイベントを受信するように構成され、前記イベントの少なくとも一部を処理するように構成され、前記処理は、コンテンツキャンペーンに用いられるイベントのサブセットを決めるための分類プロセスを少なくとも含む、イベントシンクと、
メモリに記憶され、かつ、ネットワーク接続されたコンピューティングデバイスのプロセッサ上で作動する少なくとも複数のプログラミング命令を備えたリレーサービスであって、複数の処理されたイベントを少なくともイベントシンクから受信するように構成され、受信したイベントの少なくとも一部に少なくとも部分的に基づいて、コンテンツをクライアントデバイスに提示するように構成された、リレーサービスと、を備えるシステム。
【請求項２】
前記イベントシンクはさらに、ネットワークを介して、クライアントデバイスから複数のイベントを受信するように構成される、請求項１に記載のシステム。
【請求項３】
イベントは、少なくとも、クライアントデバイスによって提示される位置ベース情報を備える、請求項１に記載のシステム。
【請求項４】
前記リレーサービスは、クライアントデバイスに提示するために、コンテンツをデータストアから取り出す、請求項１に記載のシステム。
【請求項５】
イベントシンクはさらに、イベントデータに少なくとも部分的に基づいて、クライアントデバイスをセグメント化するように構成される、請求項１に記載のシステム。
【請求項６】
メモリに記憶され、かつ、ネットワーク接続されたコンピューティングデバイスのプロセッサ上で作動する少なくとも複数のプログラミング命令を備えたキャンペーンロードバランサであって、キャンペーンの多変量試験を実行するように構成された、キャンペーンロードバランサをさらに備える、請求項１に記載のシステム。
【請求項７】
前記試験は、少なくともＡ／Ｂテスト法を含む、請求項６に記載のシステム。
【請求項８】
前記キャンペーンロードバランサは、ネットワークを介して、クラウドベースの構成要素として作動する、請求項６に記載のシステム。
【請求項９】
機能強化されたマルチチャネル、マルチオプションのターゲットを絞った自動化キャンペーンのための方法であって、
メモリに記憶され、かつ、ネットワーク接続されたコンピューティングデバイスのプロセッサ上で作動する少なくとも複数のプログラミング命令を備えたイベントロードバランサであって、少なくともアプリケーションサーバから複数のイベントを受信するように構成され、複数のイベントシンクの動作を指示するように構成された、イベントロードバランサにおいて、複数のイベントを受信するステップと、
メモリに記憶され、かつ、ネットワーク接続されたコンピューティングデバイスのプロセッサ上で作動する少なくとも複数のプログラミング命令を備えたイベントシンクであって、イベントロードバランサから複数のイベントを受信するように構成され、前記イベントの少なくとも一部を処理するように構成されたイベントシンクを介して、前記イベントの少なくとも一部を処理するステップであって、前記処理は、さらなる処理に用いられるイベントのサブセットを決めるための分類プロセスを少なくとも含むステップと、
メモリに記憶され、かつ、ネットワーク接続されたコンピューティングデバイスのプロセッサ上で作動する少なくとも複数のプログラミング命令を備えたリレーサービスであって、複数の処理されたイベントを少なくともイベントシンクから受信するように構成され、受信したイベントの少なくとも一部に少なくとも部分的に基づいて、コンテンツをクライアントデバイスに提示するように構成された、リレーサービスを用いて、前記イベント処理に少なくとも部分的に基づいて、コンテンツをクライアントデバイスに提示するステップと、
を含む方法。
【請求項１０】
前記イベントの少なくとも一部に少なくとも部分的に基づいて、複数のクライアントデバイスをセグメント化するステップをさらに含む、請求項９に記載の方法。
【請求項１１】
メモリに記憶され、かつ、ネットワーク接続されたコンピューティングデバイスのプロセッサ上で作動する少なくとも複数のプログラミング命令を備えるキャンペーンロードバランサであって、キャンペーンの多変量試験を実行するように構成された、キャンペーンロードバランサを用いて、コンテンツキャンペーンを試験するステップをさらに含む、請求項９に記載の方法。